(57)【特許請求の範囲】
【請求項１】
複数の鉄骨の下端が場所打ち丸杭の上部に埋設されてなる鉄骨と場所打ち丸杭の接合構造の構築方法であって、
地盤の前記場所打ち丸杭に相当する位置に掘削孔を形成する工程と、
一部の鉄骨を、下端が前記掘削孔内の、構築される前記場所打ち丸杭の上面よりも上方に位置するように保持する工程と、
トレミー管を通して、前記掘削孔内に前記場所打ち丸杭を構成するコンクリートを打設する工程と、
前記一部の鉄骨を下降させることにより、その下端を前記コンクリート内に埋入させる工程と、
前記複数の鉄骨のうち残りの鉄骨を下降させることにより、その下端を前記コンクリート内に埋入させる工程と、を含むことを特徴とする鉄骨と場所打ち丸杭の接合構造の構築方法。
【請求項２】
請求項１記載の鉄骨と場所打ち丸杭の接合構造の構築方法であって、
前記コンクリートを打設する工程では、
前記掘削孔内の前記残りの鉄骨の何れかに相当する位置に配置されたトレミー管を通してコンクリートを打設することを特徴とする鉄骨と場所打ち丸杭の接合構造の構築方法。
【請求項３】
複数の鉄骨の下端が円柱状の場所打ち丸杭の上部に埋設されてなる鉄骨と場所打ち丸杭の接合構造の構築方法であって、
地盤の前記場所打ち丸杭に相当する位置に掘削孔を形成する工程と、
前記複数の鉄骨を、下端が前記掘削孔内に挿入され、前記場所打ち丸杭の上面よりも上方に位置するようにガイド管内で保持する工程と、
トレミー管を通して、前記掘削孔内に前記場所打ち丸杭を構成するコンクリートを打設する工程と、
複数の鉄骨を前記ガイド管により位置精度を確保した状態で下降させることにより、これら鉄骨の下端を前記コンクリート内に埋入させる工程と、を含むことを特徴とする鉄骨と場所打ち丸杭の接合構造の構築方法。
【発明の詳細な説明】
【技術分野】
【０００１】
本発明は、隣接する柱間間隔が狭い場合に好適な鉄骨と場所打ち丸杭との接続構造の構築方法に関する。
【背景技術】
【０００２】
従来より、地下階を有する建物を構築する場合に、工期短縮のため逆打ち工法が用いられている。かかる逆打ち工法を用いる場合には、先行して地盤内に場所打ち丸杭を構築するとともに、逆打ち支柱（鉄骨柱）を建て込む必要がある。この際、逆打ち支柱は場所打ち丸杭に支持されるように、逆打ち支柱の下端を場所打ち丸杭の上部に埋設している（例えば、特許文献１参照）。
【先行技術文献】
【特許文献】
【０００３】
【特許文献１】特開２００３―１２９５０２号公報
【発明の概要】
【発明が解決しようとする課題】
【０００４】
近年、オフィスビルの直交する二方向のうち一方向のスパンが非常に大きな建物が建てられている。このように一方向のスパンを大きくとる場合には、建物全体としての構造性能を確保するため、他方向のスパンを小さくする必要がある。このような建物を逆打ち工法を用いて構築しようとする場合には、隣接する柱間の間隔が狭いため、逆打ち支柱を支持する場所打ち丸杭同士が非常に近接してしまい、場所打ち丸杭の構造上の耐力が確保できなくなってしまう。また、隣接する場所打ち丸杭が近接しているため、隣接する場所打ち丸杭の施工を並行して行うことが困難になり施工期間が長くなってしまう。
【０００５】
本発明は、上記の問題に鑑みなされたものであり、その目的は、鉄骨の間隔が狭い場合であっても、鉄骨を支持する場所打ち丸杭の耐力を十分確保できるようにするとともに、場所打ち丸杭の構築作業の施工期間の長期化を防止することである。
【課題を解決するための手段】
【０００７】
また、本発明は、複数の鉄骨の下端が場所打ち丸杭の上部に埋設されてなる鉄骨と場所打ち丸杭の接合構造の構築方法であって、地盤の前記場所打ち丸杭に相当する位置に掘削孔を形成する工程と、一部の鉄骨を、下端が前記掘削孔内の、構築される前記場所打ち丸杭の上面よりも上方に位置するように保持する工程と、トレミー管を通して、前記掘削孔内に前記場所打ち丸杭を構成するコンクリートを打設する工程と、前記一部の鉄骨を下降させることにより、その下端を前記コンクリート内に埋入させる工程と、前記複数の鉄骨のうち残りの鉄骨を下降させることにより、その下端を前記コンクリート内に埋入させる工程と、を含むことを特徴とする。
前記コンクリートを打設する工程では、前記掘削孔内の前記残りの鉄骨の何れかに相当する位置に配置されたトレミー管を通してコンクリートを打設してもよい。
【０００８】
また、本発明は、複数の鉄骨の下端が円柱状の場所打ち丸杭の上部に埋設されてなる鉄骨と場所打ち丸杭の接合構造の構築方法であって、地盤の前記場所打ち丸杭に相当する位置に掘削孔を形成する工程と、前記複数の鉄骨を、下端が前記掘削孔内に挿入され、前記場所打ち丸杭の上面よりも上方に位置するようにガイド管内で保持する工程と、トレミー管を通して、前記掘削孔内に前記場所打ち丸杭を構成するコンクリートを打設する工程と、複数の鉄骨を前記ガイド管により位置精度を確保した状態で下降させることにより、これら鉄骨の下端を前記コンクリート内に埋入させる工程と、を含むことを特徴とする。
【発明の効果】
【０００９】
本発明によれば、一対の鉄骨を、これら鉄骨の下端を一の場所打ち丸杭に埋設することで接続することとしたため、隣接する鉄骨の間隔が狭い場合であっても、杭同士が近接して十分な構造耐力が確保できなくなるのを防止できる。また、場所打ち丸杭の数を削減できるため、杭工事の施工期間を短縮できる。
【図面の簡単な説明】
【００１０】
【図１】本実施形態の鉄骨柱からなる逆打ち支柱と場所打ち丸杭の接合構造を示し、（Ａ）は鉛直断面図であり、（Ｂ）は（Ａ）におけるＩ−Ｉ断面図である。
【図２Ａ】接合構造の構築方法を説明するための図（その１）であり、鉛直断面図である。
【図２Ｂ】接合構造の構築方法を説明するための図（その２）であり、鉛直断面図である。
【図２Ｃ】接合構造の構築方法を説明するための図（その３）であり、鉛直断面図である。
【図２Ｄ】接合構造の構築方法を説明するための図（その４）であり、鉛直断面図である。
【図２Ｅ】接合構造の構築方法を説明するための図（その５）であり、鉛直断面図である。
【図２Ｆ】接合構造の構築方法を説明するための図（その６）であり、鉛直断面図である。
【図３】鉄骨柱を支持した状態の建込架台の詳細な構成を示し、（Ａ）は平面図、（Ｂ）は側面図である。
【図４Ａ】杭径が大きい場合の接合構造の構築方法を説明するための図（その１）である。
【図４Ｂ】杭径が大きい場合の接合構造の構築方法を説明するための図（その２）であり、鉛直断面図である。
【図４Ｃ】杭径が大きい場合の接合構造の構築方法を説明するための図（その３）であり、鉛直断面図である。
【図５】杭径が大きい場合の接合構造の構築方法を説明するための図（その４）であり、平面図である。
【図６Ａ】一方の鉄骨の根入れ深さが深い場合の接合構造の構築方法を説明するための図（その１）である。
【図６Ｂ】一方の鉄骨の根入れ深さが深い場合の接合構造の構築方法を説明するための図（その２）であり、鉛直断面図である。
【図６Ｃ】一方の鉄骨の根入れ深さが深い場合の接合構造の構築方法を説明するための図（その３）であり、鉛直断面図である。
【発明を実施するための形態】
【００１１】
以下、本発明の鉄骨と場所打ち丸杭の接合構造の構築方法の一実施形態を、逆打ち支柱を場所打ち丸杭に接続する場合を例として説明する。
図１は、本実施形態の逆打ち支柱としての鉄骨柱２０Ａ，２０Ｂと場所打ち丸杭３０の接合構造１０を示し、（Ａ）は鉛直断面図、（Ｂ）は（Ａ）におけるＩ−Ｉ断面図である。同図に示すように、本実施形態の接合構造１０は、隣接する逆打ち支柱の間の距離が狭い場合に用いられるものである。同図に示すように、場所打ち丸杭３０は円柱状を呈しており、地盤１に形成された掘削孔２内に打設されたコンクリート２２内に鉄筋かご（不図示）が埋設されてなる。本実施形態の接合構造１０は、かかる場所打ち丸杭３０の上部に、逆打ち支柱としての一対の鉄骨柱２０Ａ、２０Ｂの下部が埋設されてなる。
【００１２】
本実施形態の一対の鉄骨柱２０Ａ、２０Ｂと場所打ち丸杭３０の接合構造１０の構築方法として、従来用いられていた、予め鉄骨柱（逆打ち支柱）を所定の位置に配置した状態で、掘削孔内に場所打ち丸杭を構成するコンクリートを打設する方法（先決め工法）、又は、予め、掘削孔内に場所打ち丸杭を構成するコンクリートを打設しておき、このコンクリートが硬化する前に鉄骨柱を建て込む方法（後決め工法）を用いることが考えられる。
【００１３】
しかしながら、上記の先決め工法を本実施形態の接合構造１０に適用しようとすると、予め、掘削孔２内に複数の鉄骨柱２０Ａ、２０Ｂを建て込んでしまうと、鉄骨柱２０Ａ，２０Ｂを保持する建込架台が障害となり、コンクリート２２を打設するためのトレミー管を掘削孔内に配置することが困難となる。また、先決め工法では、コンクリート２２の打設時に、コンクリートの側圧により鉄骨柱が移動してしまうため、コンクリートの打設中や打設後にジャッキにより位置の補正を行わなければならず、建て込み精度の確保に手間がかかる。
また、後決め工法を適用しようとすると、複数の鉄骨柱２０Ａ、２０Ｂを建て込む作業に時間がかかるため、鉄骨柱２０Ａ、２０Ｂの建て込みが完了する前にコンクリート２２が硬化してしまう虞がある。
【００１４】
そこで、本願発明者らは、以下説明するような接合構造１０の構築方法を提案する。図２Ａ〜図２Ｆは接合構造１０の構築方法を説明するための図であり、鉛直断面図である。
まず、図２Ａに示すように、地上から掘削装置（不図示）により地盤１を掘削して、場所打ち丸杭に相当する位置に掘削孔２を形成する。なお、掘削孔２の上部には、周囲の地盤を保護するべく、ケーシング３を配置してもよい。
次に、図２Ｂに示すように、掘削孔２内に鉄筋かご２１を挿入する。
【００１５】
次に、図２Ｃに示すように、地上において掘削孔２を跨ぐように建込架台１００を設置する。図３は鉄骨柱２０Ａ，２０Ｂを支持した状態の建込架台１００の詳細な構成を示し、（Ａ）は平面図、（Ｂ）は側面図である。同図に示すように、建込架台１００は、掘削孔２の周囲の地盤に掘削孔２を取り囲むように設置された矩形状の基台１１０と、基台１１０上に掘削孔２を跨ぐように架け渡された一対の第１の桁材１２０と、第１の桁材１２０の間に架け渡された３本の第２の桁材１３０と、角管である一対のガイド管１４０と、各ガイド管１４０の上部に架け渡された一対の仮置きブラケット１５０と、ガイド管１４０の下部に取り付けられた固定冶具（図２Ｃにおける１６０）により構成される。
【００１６】
一対のガイド管１４０の互いに隣接する側面には、夫々ブラケット１４１が取り付けられており、また、各ガイド管１４０のこれら側面と反対側の側面にもブラケット１４１が取り付けられている。そして、ガイド管１４０は、これらブラケット１４１が第２の桁材１３０の上部に設置されることで支持されている。また、これらガイド管１４０とケーシング３の内周面との間を結ぶように固定治具１６０が取り付けられており、これら固定治具１６０が周囲の地盤１から反力を受けることで、鉄骨柱２０Ａ、２０Ｂを建て込む際に位置ずれが生じるのを防止している。なお、ガイド管１４０を離れた位置に設ける場合には、各ガイド管１４０に取り付けられたブラケット１４１夫々に２本の第２の桁材１３０が対応するように、第２の桁材１３０を４本設ければよい。
【００１７】
そして、図２Ｄに示すように、一方のガイド管１４０内に鉄骨柱２０Ｂを配置し、建込架台１００によりその下端が後述する工程で打設するコンクリート２２の上面よりも上方に位置するように保持する。また、他方のガイド管１４０内を通して掘削孔２内にトレミー管２００を挿入する。なお、鉄骨柱２０Ｂは、図３（Ｂ）に示すように、側面に取り付けられた仮置用冶具１５１の下面がガイド管１４０の上部に架け渡された仮置きブラケット１５０に当接することで支持されており、この仮置用冶具１５１の鉄骨柱２０Ｂへの取付位置を調整することで、鉄骨柱２０Ｂが保持される高さ位置を調整できる。また、鉄骨柱２０Ｂには、建て込みの際にガイド管１４０内で位置ずれが生じないように、予め、鉄骨柱２０Ｂをガイド管１４０の内周面に沿って案内するスペーサ１７０を取り付けておく。
【００１８】
次に、トレミー管２００を通じて掘削孔２内に場所打ち丸杭３０の上面高さまでコンクリート２２を打設する。
次に、図２Ｅに示すように、トレミー管２００を他方のガイド管１４０から引き上げるとともに、鉄骨柱２０Ｂを所定の深さ位置まで降下させ、下端をコンクリート２２内に埋入させる。
【００１９】
次に、図２Ｆに示すように、他方のガイド管１４０内に鉄骨柱２０Ａを建て込む。この際、鉄骨柱２０Ａにスペーサ１７０を取り付けておくことで、鉄骨柱２０Ａを所定の位置に建て込むことができる。そして、掘削孔２内に打設されたコンクリート２２が硬化することで、鉄骨柱２０Ａ、２０Ｂと場所打ち丸杭３０との接合構造１０が構築される。
【００２０】
以上説明したように、本実施形態によれば、近接して設けられる一対の鉄骨柱２０Ａ，２０Ｂを、一の場所打ち丸杭３０により支持することとしたため、場所打ち丸杭３０を近接して設ける必要がなくなる。このため、場所打ち丸杭３０の構造上の性能を確実に確保することができるとともに、場所打ち丸杭３０の数を減らすことができるので、施工期間を短縮できる。
【００２１】
また、予め、一方の鉄骨柱２０Ｂを下端が場所打ち丸杭３０の上面よりも上方に位置するように保持しておき、この状態で掘削孔２内にコンクリート２２を打設した後、鉄骨柱２０Ｂを建て込むこととしたため、鉄骨柱２０Ｂの建て込みにかかる時間を短縮することができる。これにより、打設したコンクリート２２が硬化する前に、一対の鉄骨柱２０Ａ、２０Ｂをコンクリート２２内に下端が埋入されるように建て込むことができる。
【００２２】
また、コンクリート２２の打設前には、鉄骨柱２０Ｂのみを保持することとしたため、鉄骨柱２０Ａが建て込まれる位置を通じて、トレミー管２００を掘削孔２内に挿入することが可能となる。
また、コンクリート２２の打設後に、ガイド管により位置精度を確保した状態で、鉄骨柱２０Ａ、２０Ｂを建て込むため、鉄骨柱２０Ａ，２０Ｂの建て込み精度の確保を容易に行うことができる。
【００２３】
なお、本実施形態では、鉄骨柱２０Ａに相当する位置においてトレミー管２００を掘削孔２内に挿入するものとしたが、これに限らず、場所打ち丸杭３０の径が大きい場合には、鉄骨柱２０Ａ、２０Ｂと掘削孔２との隙間を通してコンクリート２２を打設することも可能である。
【００２４】
図４Ａ〜図４Ｃ及び図５は、かかる場合の実施形態の接続構造の構築方法を説明するための図である。なお、図４Ａ〜図４Ｃは鉛直断面図であり、図５は平面図である。
場所打ち丸杭３０の径が大きい場合にも、まず、図２Ａ〜図２Ｃを参照して行った掘削孔２を形成する工程、鉄筋かご２２を挿入する工程、及び建込架台１００を設置する工程を行う。
【００２５】
次に、図４Ａに示すように、一対の鉄骨柱２０Ａ、２０Ｂを、夫々、下端が場所打ち丸杭の上面に相当する位置よりも上方に位置するようにガイド管１４０内に配置する。そして、図５に示すように、掘削孔２内の建込架台１００と干渉しないような位置にトレミー管２００を配置する。
【００２６】
次に、図４Ｂに示すように、トレミー管２００を通じて掘削孔２内にコンクリート２２を打設する。そして、一対の鉄骨柱２０Ａ、２０Ｂを所定の深さ位置まで降下させ、下端をコンクリート２２内に埋入させる。なお、これら一対の鉄骨柱２０Ａ，２０Ｂの建込作業は、一対の鉄骨柱２０Ａ、２０Ｂについて並行して行ってもよいし、別々に行ってもよい。
【００２７】
次に、図４Ｃに示すように、トレミー管２００を掘削孔２内から引き上げる。
かかる方法によっても、鉄骨柱２０Ａ，２０Ｂの建て込みにかかる時間を短縮することができる。
また、このようにトレミー管２００を掘削孔２内に挿入できる場合には、コンクリート２２を打設する前に鉄骨柱２０Ａ、２０Ｂを予め所定の位置に建て込んでしまう方法（先決め工法）を採用することも考えられる。しかし、上記のように先決め工法では、コンクリート２２の打設時の側圧により移動してしまうため、鉄骨柱の位置を補正する作業が必要となるが、本実施形態によれば、コンクリート２２の打設後に、ガイド管１４０により位置精度を確保した状態で鉄骨２０Ａ，２０Ｂを建て込むため、容易に建て込み位置の精度を確保できるとともに、鉄骨柱の位置の補正作業が不要となり施工性を向上できる。
【００２８】
なお、上記の実施形態において、何れか一方の鉄骨柱のコンクリート内に埋入させる長さ（根入れ長さ）が他方に比べて大きい場合には、以下のようにするとよい。
まず、上記の実施形態と同様に、図６Ａに示すように、建込架台１００を掘削孔２の上部に設置し、鉄骨２０Ａ，２０Ｂを建込架台１００により保持するとともにトレミー管２００を設置する。次に、図６Ｂに示すように、掘削孔２内にコンクリート２２を、その表面が場所打ち丸杭の上面高さまで到達する前に一端打設作業を停止し、根入れ長さが長い方の鉄骨柱２０Ａを所定の深さまで建て込む。次に、図６Ｃに示すように、コンクリート２２を所定の深さまで打設し、根入れ長さが短い方の鉄骨柱２０Ｂを建て込む。これにより、根入れ長さが大きい鉄骨柱２０Ａの建て込み作業時にコンクリート２２内へ挿入する長さを小さくできるので、コンクリート２２の浮力による抵抗を減らすことができる。
【００２９】
また、本実施形態では、場所打ち丸杭と逆打ち杭とを接合する場合について説明したが、これに限らず、鉄骨柱を円形の逆打ち杭に接合する場合であれば本発明を適用できる。
また、本実施形態では、場所打ち丸杭に一対の鉄骨柱が接合される場合について説明したが、これに限らず、場所打ち丸杭に複数の鉄骨柱を接合するものとしてもよい。かかる接合構造を図２Ａ〜図２Ｆを参照して説明した構築方法により構築する場合には、図２Ｄを参照して説明した工程において、複数の鉄骨柱の一部を建込架台１００により保持し、残りの鉄骨柱のうち何れかの鉄骨柱に相当する位置にトレミー管を挿入する。次に、図２Ｅを参照して説明した工程において、トレミー管を通じてコンクリートを打設した後、建込架台１００により保持していた鉄骨柱を建て込むとともにトレミー管を撤去する。次に、図２Ｆを参照して説明した工程において、残りの鉄骨柱を建て込めばよい。
【００３０】
また、図４Ａ〜図４Ｃ、図５を参照して説明した構築方法により構築する場合には、図４Ａを参照して説明した工程において、複数の鉄骨柱全てを建込架台１００により保持し、図４Ｂを参照して説明した工程において、これら複数の鉄骨柱全てを建て込めばよい。
また、上記の各実施形態を示す図面では、場所打ち丸杭３０に接合される鉄骨柱２０Ａ，２０ＢがＨ型鋼であるものとしたが、これに限らず、鋼管などの他の形状の鉄骨を場所打ち丸杭に接合する場合であっても本発明を適用できる。さらに、場所打ち丸杭３０に鉄骨鉄筋コンクリート造の柱を構成する鉄骨を接合する場合にも本発明を適用できる。
【符号の説明】
【００３１】
１  地盤                                ２  掘削孔
１０  接合構造                          ２０Ａ，２０Ｂ  鉄骨柱
２１  鉄筋かご                          ２２  コンクリート
３０  場所打ち丸杭                      １００  建込架台
【図１】
0005407597.tif 000002
【図２Ａ】
0005407597.tif 000003
【図２Ｂ】
0005407597.tif 000004
【図２Ｃ】
0005407597.tif 000005
【図２Ｄ】
0005407597.tif 000006
【図２Ｅ】
0005407597.tif 000007
【図２Ｆ】
0005407597.tif 000008
【図３】
0005407597.tif 000009
【図４Ａ】
0005407597.tif 000010
【図４Ｂ】
0005407597.tif 000011
【図４Ｃ】
0005407597.tif 000012
【図５】
0005407597.tif 000013
【図６Ａ】
0005407597.tif 000014
【図６Ｂ】
0005407597.tif 000015
【図６Ｃ】
0005407597.tif 000016